(57)【特許請求の範囲】
【請求項１】
一方にパイプが固着され、他方に前記パイプに挿通するロッドが固着された一対の押さえ板からなる紙片挟持部と、前記一対の押さえ板の各々と個別に係合・離脱するべくロック位置とロック解除位置間で変位可能な一対のロック部材を保持してファイルの背表紙の内面に固着されるホルダ部とを有する両開きファイルの綴じ具であって、
前記一対の押さえ板の各々は、前記パイプ又はロッドが固着された合成樹脂製の端板と、該端板の端縁に金属製の軸止ピンを介して枢着された合成樹脂製の平板状の止め板とからなっており、前記ホルダ部は、合成樹脂製のケースに、前記止め板を受容するべくファイルの背表紙の長手方向に長くかつ背表紙面と略直交する方向に深く穿設された止め板挿入孔を両側に一対形成してなっており、前記ロック部材は、前記止め板に形成された溝に係合するべく前記止め板挿入孔内に突入する係止爪を設けてなっており、
紙片を抜き差しする際の前記ホルダ部に対する前記端板の回動を、前記端板と前記止め板とを枢着する前記軸止ピンを支点にして行うと共に、前記ホルダ部に対する前記端板の脱着を、前記ホルダ部に設けた前記止め板挿入孔に対する前記止め板の挿入・離脱で行うようにしたことを特徴とする両開きファイルの綴じ具。
【請求項２】
前記ロック部材は、前記ホルダ部の前記止め板挿入孔に沿う内側に延在する棒状部の中央から直角に突出し、前記止め板挿入孔を横切って前記ホルダ部の側縁部にその頭部が露出したロック解除押釦と、該ロック解除押釦の突出方向と同一方向に前記棒状部の両端からそれぞれ突出し、前記ロック解除押釦によって２等分された前記止め板挿入孔の各分孔内にそれぞれ突入した一対の前記係止爪と、前記ホルダ部の内壁に係合して前記係止爪並びに前記ロック解除押釦の突出方向に弾発付勢するばね片とを有し、合成樹脂材にて一体形成されたものであることを特徴とする請求項１に記載の両開きファイルの綴じ具。
【請求項３】
前記端板に対して前記止め板を一回動方向に弾発付勢するばね手段と、前記止め板の回動の規制手段とを有することを特徴とする請求項１若しくは請求項２に記載の両開きファイルの綴じ具。
【発明の詳細な説明】
【０００１】
【発明の属する技術分野】
本発明は、両開きファイルの綴じ具に関するものである。
【０００２】
【従来の技術】
複数の孔が一方の端縁部に穿設された多数の紙片を束ねるべく、一方にパイプが固着され、他方にパイプに挿通するロッドが固着された一対の押さえ板からなる紙片挟持部と、この一対の押さえ板の各々を紙片と共に表紙パネルの内側に保持するホルダ部とからなるファイルが普及している。このようなファイルでは、この一対の押さえ板の一方をホルダ部から取り外して自由状態にし、他方の押さえ板側に設けられた回転軸を支点として紙片挟持部を回動した上で一対の押さえ板同士を分離すると、一側から紙片を抜き差しすることができるようになる。
【０００３】
このようなファイルの一形式として、一対の押さえ板の両方に回転軸を設けて、上記と同様な操作で他側からでも紙片の抜き差しができるようにした両開きファイルが知られている。このような両開きファイルでは、一般的に、押さえ板側の回転軸の支持部と、ホルダ部側の回転軸の支持部の両方或いは一方を、回転軸に対して係合・離脱可能な構造にして、回動と脱着とを両立させている。
【０００４】
【発明が解決しようとする課題】
ところが、このように回転軸の支持部において着脱可能な構造にしようとすると、多数の紙片を挟持した押さえ板をホルダ部に取り付ける際や、一対の押さえ板の一方をホルダ部から離脱して回動させる際に生じる応力が、回転軸の支持部に集中することになる。このため、強度・剛性が高いことが要求され、金属材料で形成せざるを得ず、製造工数を削減して製造コストを低減することが困難であった。
【０００５】
本発明は、このような従来技術の不都合を解消するべく案出されたものであり、その主な目的は、合成樹脂材にて形成しても、保持信頼性が低減することがないように構成された両開きファイルの綴じ具を提供することにある。
【０００６】
【課題を解決するための手段】
このような目的は、本発明によれば、一方にパイプが固着され、他方に前記パイプに挿通するロッドが固着された一対の押さえ板からなる紙片挟持部と、前記一対の押さえ板の各々と個別に係合・離脱するべくロック位置とロック解除位置間で変位可能な一対のロック部材を保持してファイルの背表紙の内面に固着されるホルダ部とを有する両開きファイルの綴じ具であって、前記一対の押さえ板の各々は、前記パイプ又はロッドが固着された合成樹脂製の端板と、該端板の端縁に金属製の軸止ピンを介して枢着された合成樹脂製の平板状の止め板とからなっており、前記ホルダ部は、合成樹脂製のケースに、前記止め板を受容するべくファイルの背表紙の長手方向に長くかつ背表紙面と略直交する方向に深く穿設された止め板挿入孔を両側に一対形成してなっており、前記ロック部材は、前記止め板に形成された溝に係合するべく前記止め板挿入孔内に突入する係止爪を設けてなっており、紙片を抜き差しする際の前記ホルダ部に対する前記端板の回動を、前記端板と前記止め板とを枢着する前記軸止ピンを支点にして行うと共に、前記ホルダ部に対する前記端板の脱着を、前記ホルダ部に設けた前記止め板挿入孔に対する前記止め板の挿入・離脱で行うようにしたことを特徴とする両開きファイルの綴じ具を提供することにより達成される。
【０００７】
特に、前記ロック部材は、前記ホルダ部の前記止め板挿入孔に沿う内側に延在する棒状部の中央から直角に突出し、前記止め板挿入孔を横切って前記ホルダ部の側縁部にその頭部が露出したロック解除押釦と、該ロック解除押釦の突出方向と同一方向に前記棒状部の両端からそれぞれ突出し、前記ロック解除押釦によって２等分された前記止め板挿入孔の各分孔内にそれぞれ突入した一対の前記係止爪と、前記ホルダ部の内壁に係合して前記係止爪並びに前記ロック解除押釦の突出方向に弾発付勢するばね片とを有し、合成樹脂材にて一体形成されたものであると好ましい。その上、前記端板に対して前記止め板を一回動方向に弾発付勢するばね手段と、前記止め板の回動の規制手段とを有すると良い。
【０００８】
このように紙片を挟持する端板に止め板を一旦枢着した上で、この止め板をホルダ部で支持するようにすると、回転軸の支持部と背表紙との係合部とが別構成となり、支持部並びに係合部の強度を共に高いものとすることができる。したがって、押さえ板並びにホルダ部を合成樹脂材にて形成しても高い保持力を確保できる。その上、ロック部材を合成樹脂材にて一体形成することで、より一層の軽量化並びにコストの低減を図り得る。また、ロック解除押釦をホルダ部の両側に露出させるようにすると、押さえ板の取り外し操作が容易になる。さらに、ばね手段と回動の規制手段とを設けて、端板に対して止め板を所定角度に保持するようにすると、取り付け操作が容易になり、特に、ホルダ部に結合された側の枢止軸を支点にして紙片挟持部を回動させる場合においては、止め板とこれが嵌挿する長孔との整合操作が不要となる。
【０００９】
【発明の実施の形態】
以下に添付の図面を参照して本発明の構成を詳細に説明する。
【００１０】
図１は、本発明に基づき構成された両開きファイルの綴じ具の全体構成を示している。この綴じ具は、多数の紙片（図示せず）を束ねた状態に保持するための一対の押さえ板１ａ・１ｂからなる紙片挟持部２と、ファイルの背表紙の内面に固着されるホルダ部３とからなっている。
【００１１】
一対の押さえ板１ａ・１ｂは、一方が、端板４ａと、これに所定の間隔をあけて固着された一対のロッド５と、端板４ａに枢着された止め板６ａとからなり、他方が、端板４ｂと、これに固着されてロッド５が挿通する一対のパイプ７と、端板４ｂに枢着された止め板６ｂとからなっている。そして、紙片の一端縁部に規定ピッチ間隔で穿設された複数の孔にロッド５並びにパイプ７を挿通することにより、両方の端板４ａ・４ｂにて多数の紙片をまとめて押さえることができるようになっている。
【００１２】
これら端板４ａ・４ｂ並びに止め板６ａ・６ｂは、共に合成樹脂材にて射出形成されたものである。押さえ板１ａのロッド５は、金属製であり、端板４ａにインサートされている。他方、押さえ板１ｂのパイプ７は、合成樹脂製であり、端板４ｂと一体的に形成されている。
【００１３】
端板４ａ・４ｂ並びに止め板６ａ・６ｂは、各々の端縁が金属製の軸止ピン８にて蝶着されている。この軸止ピン８には、その一端が端板４ａ・４ｂに、他端が止め板６ａ・６ｂにそれぞれ係止されたコイルスプリング９が巻装されている。止め板６ａ・６ｂの端板４ａ・４ｂと離反する側の端縁中央部分には、凹部１０が形成されており、その両側部分の内側面には、止め板６ａ・６ｂの長手方向に長い溝１１がそれぞれ形成されている。
【００１４】
ホルダ部３は、ファイルの背表紙の内面に固着されるケース１２と、このケース１２に内蔵される一対のロック部材１３ａ・１３ｂとからなっている。
【００１５】
一対のロック部材１３ａ・１３ｂの各々は、ファイルの背表紙の長手方向に長い棒状部１４と、その一側面の中間部から直角に突出したロック解除押釦１５と、棒状部１４の両端部からロック解除押釦１５と同一方向にそれぞれ突出した一対の係止爪１６と、棒状部１４の両端部からその長手方向にそれぞれ延出した一対のばね片１７と、他側面の中間部から突出したガイド突起１８とからなるものであり、合成樹脂材の射出成形により一体形成されている。互いに対向するロック部材１３ａ・１３ｂ同士のガイド突起１８は、棒状部１４の長手方向に互いにオフセットしており、これらの頭部を補完的に受容し得る凹部１９が、ガイド突起１８に隣接して形成されている。
【００１６】
ケース１２は、その内側に一対のロック部材１３ａ・１３ｂを受容し得るように比較的薄い箱状に合成樹脂材にて射出形成されたものであり、その両側中間部には、内蔵されたロック部材１３ａ・１３ｂのロック解除押釦１５の頭を露出させると共にこれを支持する孔２０並びに樋状部２１がそれぞれ形成されている。この樋状部２１を挟んで両側には、ケース１２の長手方向に長い止め板挿入孔２２が一対ずつ開設されている。この一対の止め板挿入孔２２に挟まれた樋状部２１の側壁部分は、ロック解除押釦１５の上面と面一となるように一段低く形成されており、ここに止め板６ａ・６ｂの凹部１０が嵌合するようになっている。また、ケース１２の長手方向両側には、長円形断面形状の窪み２３が一対凹設されており、各窪み２３の底壁には、ファイルの背表紙とケース１２とを固定する留め具が挿通する円孔２４が一対開設されている。
【００１７】
ロック部材１３ａ・１３ｂをケース１２に取り付けるには、図２・３に示すように、ロック部材１３ａ・１３ｂのロック解除押釦１５を孔２０に挿入すると共に、係止爪１６を止め板挿入孔２２の側壁に開設された孔２５に挿入した上で、ばね片１７の先端を窪み２３の側壁２３ａに当接させる。これによって、ロック解除押釦１５が孔２０から、係止爪１６が孔２５からそれぞれ突出した状態にばね片１７の弾発力でロック部材１３ａ・１３ｂがケース１２内に保持される。
【００１８】
図４は、使用状態の一例を示しており、一方の押さえ板１ｂの止め板６ｂがホルダ部３の止め板挿入孔２２に嵌挿され、止め板６ｂの溝１１とロック部材１３ｂの係止爪１６とが係合し、他方の押さえ板１ａが自由状態にある。この状態では、他方の押さえ板１ｂのパイプ７から一方の押さえ板１ａのロッド７を引き抜いて押さえ板１ａ・１ｂ同士を分離することで、紙片の抜き差しが可能となる。このとき、他方の押さえ板１ｂの端板４ｂは、止め板挿入孔２２の外側側壁の頂面に当接して止め板６ｂに対して略直角に折れ曲がった状態になっている。
【００１９】
一方、自由状態にある一方の押さえ板１ａにおいては、スプリング９にて弾発付勢された止め板６ａの回動が、その軸受け部２６に形成された突部２６ａが端板４ａに衝止することで規制されているため、止め板６ａが端板４ａに対して真直な状態に保持されている。このため、他方の押さえ板１ｂの軸止ピン８を支点にして紙片挟持部２をそのまま回動させるだけで、止め板６ａの先端がホルダ部３の止め板挿入孔２２に整合するようになっている。
【００２０】
そして、止め板挿入孔２２に挿入された止め板６ａの先端を、ロック部材１３の係止爪１６に押しつけると、係止爪１６の外面がテーパ面１６ａになっているので、係止爪１６に内向きの分力が作用し、図２の一点鎖線で示すように、ばね片１７が撓んでロック部材１３ａ・１３ｂが引っ込む。さらに押し込むと、止め板６ａの溝１１に係止爪１６が嵌入して、ばね片１７が復元すると共にロック解除押釦１５が外向きに突出する。これで、ホルダ部３と押さえ板１ａとが互いに結合される。このように押さえ板１ａ・１ｂのホルダ部３への取り付けを容易に行うことが可能であるため、孔２５から突出する向きに弾発付勢された係止爪１６が止め板挿入孔２２から退避したロック解除状態に保持する機構を特に設ける必要はない。
【００２１】
このようにして両方の押さえ板１ａ・１ｂとホルダ部３とが固定された状態から、例えば、一方のロック部材１３ｂのロック解除押釦１５を押すと、係止爪１６が止め板６ｂの溝１１から抜け出て、止め板６ｂが自由になり、今度は、一方の押さえ板１ａの軸止ピン８を支点として紙片挟持部２を回動できる。そして、自由状態になった他方の押さえ板１ｂと一方の押さえ板１ａとを分離することで、上記とは逆側から紙片を抜き差しできるようになる。
【００２２】
なお、本実施例においては、ロッド５並びにパイプ７が真直なものとしたが、円弧状に曲成されたものであってもよい。このとき、端板４ａ・４ｂは所定の開き角度で配置され、自由状態にある止め板６ａ・６ｂは回動時の動線方向に保持されるように突起２６ａを形成する。
【００２３】
【発明の効果】
このように本発明によれば、高い保持力を確保しつつ合成樹脂材で形成し得るようになるため、製造コストを低減する上に多大な効果を奏する。しかも、押さえ板の脱着操作が容易である上に、合成樹脂製とすることによる軽量化によって利便性が大きく向上し、その効果は大である。
【図面の簡単な説明】
【図１】本発明に基づき構成された両開きファイルの綴じ具の全体構成を示す分解斜視図。
【図２】図１に示されるホルダ部の組立状態を一部切除して示す平面図。
【図３】図２におけるIII−III線に沿う断面図。
【図４】図１に示される両開きファイルの綴じ具の使用状態の一例を示す断面図。
【図１】
0004068703.tif 000002
【図２】
0004068703.tif 000003
【図３】
0004068703.tif 000004
【図４】
0004068703.tif 000005